Podtech/llm-jp-corpus-v4-ja_patent huggingface dataset:
(57)【要約】【課題】空気調和機において、リモコンの誤操作で不本意な運転モードに切り換わることを防止する。【解決手段】リモコンに、冷房系か暖房系かを設定するスライドスイッチ１と空気調和機に運転モードを指示するための運転モードスイッチ２とを備え、スライドスイッチを冷房系に設定している時は暖房運転モードスイッチ操作を無効にし、スライドスイッチを暖房系に設定しているときは冷房運転モードスイッチ操作を無効とすることにより、不本意な運転モードに切り換わることを防止することが可能となる。【選択図】図１
2011158173.tif 000002
【特許請求の範囲】
【請求項１】
空気調和機のリモコンにおいて、前記リモコンに冷房系か暖房系かを設定するスライドスイッチと、前記空気調和機に運転モードを指示するための運転モードスイッチとを備え、前記スライドスイッチを冷房系に設定している時は前記暖房運転モードスイッチ操作を無効にし、前記スライドスイッチを暖房系に設定している時は前記冷房運転モードスイッチ操作を無効とすることを特徴としたリモコンを有する空気調和機。
【発明の詳細な説明】
【技術分野】
【０００１】
本発明は、冷暖房機能を有する空気調和機に関するものである。
【背景技術】
【０００２】
冷暖房機能を有する空気調和機において、冷房や暖房などの運転モードの切り換えをリモコン操作で行うのが一般的であり、リモコンからの運転モードスイッチの信号が空気調和機に送信され、空気調和機はリモコンから受信した運転モードで運転を行う（例えば、特許文献１参照）。
【０００３】
図４は空気調和機のリモコンの外観図である。図４に示すように、運転モードを選択する冷房や暖房など運転モードスイッチ１１を搭載し各運転モードスイッチを操作することにより空気調和機の運転モードを切り換える。
【先行技術文献】
【特許文献】
【０００４】
【特許文献１】特開２０００−２４１００８号公報
【発明の概要】
【発明が解決しようとする課題】
【０００５】
しかしながら、上記従来の技術ではリモコン操作を誤り意図しない運転モードに切り替えてしまった場合、例えば夏なのに暖房運転スイッチを操作して暖房運転モードに切り替えてしまった場合、本来運転させたい冷房運転モードに切り替えても、機器保護の制御により数分間は冷房運転を開始しないため、その間ユーザーは不快な状態を強いられる。
【０００６】
本発明は上記課題を解決するもので、リモコンに冷房系か暖房系かを選択するためのスライドスイッチを設け、冷房系にスライドスイッチを設定している場合は、暖房運転モードスイッチ操作を無効にし、暖房系にスライドスイッチを設定している場合は、冷房運転モードスイッチ操作を無効にする。これにより、リモコンの誤操作で夏に暖房モードで運転したり、冬に冷房モードで運転したりすることを防止することを目的とする。
【課題を解決するための手段】
【０００７】
前記従来の課題を解決するために、本発明の空気調和機は、リモコンに冷房系か暖房系かを選択するためのスライドスイッチを設け、冷房系にスライドスイッチを設定している場合は、暖房運転モードスイッチ操作を無効にし、暖房系にスライドスイッチを設定している場合は、冷房運転モードスイッチ操作を無効にする。
【発明の効果】
【０００８】
本発明によれば、リモコンに冷房系か暖房系かを選択するためのスライドスイッチを設け、冷房系にスライドスイッチを設定している場合は、暖房運転モードスイッチ操作を無効にし、暖房系にスライドスイッチを設定している場合は、冷房運転モードスイッチ操作を無効にするため、リモコンの誤操作で夏に暖房モードで運転したり、冬に冷房モードで運転したりすることを防止することができる。
【図面の簡単な説明】
【０００９】
【図１】本発明の実施の形態１における空気調和機のリモコンの外観図
【図２】本発明の実施の形態１におけるリモコンのスライドスイッチが暖房系設定時の処理を示すフローチャート
【図３】本発明の実施の形態１におけるリモコンのスライドスイッチが冷房系設定時の処理を示すフローチャート
【図４】従来の空気調和機のリモコンの外観図
【発明を実施するための形態】
【００１０】
本発明は、空気調和機に運転モードの指示信号を送信するリモコンに、冷房系か暖房系かを設定するスライドスイッチと空気調和機に運転モードを指示するための運転モードスイッチを設け、スライドスイッチを冷房系に設定している時は暖房運転モードスイッチ操作を無効にし、スライドスイッチを暖房系に設定しているときは冷房運転モードスイッチ操作を無効とすることにより、リモコンの誤操作で不本意な運転モードに切り換わることを防止することが可能となる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態におけるリモコンの外観図である。冷房系か暖房系かを設定するスライドスイッチ１と空気調和機の運転モードを指示するための運転モードスイッチ２とを備えている。
【００１３】
図２は本発明の第１の実施の形態における暖房運転中に冷房運転モードスイッチ操作した時の処理を示すフローチャートである。暖房運転中（Ｓ１）に冷房運転モードスイッチ操作された場合（Ｓ２）、スライドスイッチが暖房系に設定されているかどうか判断（Ｓ３）し、暖房系に設定されていなければ冷房運転モードスイッチ操作有効となる（Ｓ４）ため、空気調和機の運転モードを冷房運転に切り換える（Ｓ５）が、暖房系に設定されている場合は冷房運転モードスイッチ操作無効となる（Ｓ６）ため、空気調和機の運転モードを切り換えない（Ｓ７）。
【００１４】
図３は本発明の第１の実施の形態における冷房運転中に暖房運転モードスイッチ操作した時の処理を示すフローチャートである。冷房運転中（Ｓ１１）に暖房運転モードスイッチ操作された場合（Ｓ１２）、スライドスイッチが冷房系に設定されているかどうか判断（Ｓ１３）し、冷房系に設定されていなければ暖房運転モードスイッチ操作有効となる（Ｓ１４）ため、空気調和機の運転モードを暖房に切り換える（Ｓ１５）が、冷房系に設定されている場合は暖房運転モードスイッチ操作無効となる（Ｓ１６）ため、空気調和機の運転モードを切り換えない（Ｓ１７）。
【００１５】
これにより、冬にスライドスイッチを暖房系に設定しておけばリモコンの誤操作により冷房運転モードスイッチを操作してしまっても冷房運転に切り換わらない。また同様に、夏にスライドスイッチを冷房系に設定しておけば暖房運転モードスイッチを操作してしまっても暖房運転に切り換わらないので、不本意な運転モードへの切り換えを防止することができる。
【産業上の利用可能性】
【００１６】
以上のように、本発明にかかるリモコンの設定により、リモコンの誤操作による不本意な運転モードへの切り換えを防止することが可能となる。
【符号の説明】
【００１７】
１  冷房系か暖房系かを設定するスライドスイッチ
２  空気調和機に運転モードを指示する運転モードスイッチ
１１  空気調和機に運転モードを指示する運転モードスイッチ
【図１】
2011158173.tif 000003
【図２】
2011158173.tif 000004
【図３】
2011158173.tif 000005
【図４】
2011158173.tif 000006
(57)【要約】      （修正有）【課題】既設の配管を利用でき、より安全で見た目もきれいな配線工事を可能とする配線保護モールを提供する。【解決手段】既存の建屋等に配線工事を行う場合、新たに配管する場合もあるが、壁や床に固定する際のビスの設置を敬遠する傾向もある。この為、既存の配管１に直接取り付けることが可能となるよう、形状を半円状にした配線保護モールとし、取付作業性を向上させた。また、半円状の頂部には、配線を収納する溝を設けると共に、フタを凹凸嵌合させて固定する構造とする。【選択図】図１
2011167050.tif 000002
【特許請求の範囲】
【請求項１】
丸い配管（１）に装着させて施工することが可能な、半円型配線保護モールである。
【発明の詳細な説明】
【技術分野】
【０００１】  この発明は、半円形状にすることにより、配管に取り付けることを可能とした配線保護モールの発明である。
【背景技術】
【０００２】  従来配線保護モールは壁用か床用しかなかった。
【発明の開示】
【発明が解決しようとする課題】
【０００３】  これは、次のような欠点があった。
従来、既存の建屋等に配線工事をする際、配線の保護のため壁や床に配線保護モールを使用するか、新たに配管を敷設する事が多かった。しかし、壁や床に両面テープで張り付けた場合、剥がす時に壁紙が痛んだり、隣の壁紙と色の違いが生じることがあった。新たに配管を敷設、配線保護モールをビスにて壁等に打ち付ける際にも、壁に穴を開ける必要があったため、精密機械が設置されている部屋、食品を扱う部屋では嫌われる傾向があった。
【課題を解決するための手段】
【０００４】  配線保護モールを半円形状にすることにより、既設の配管（１）への取り付けを可能とした。
本発明は、以上の構成よりなる配線保護モールである。
【発明の効果】
【０００５】  半円形状をしているので、既設の配管に装着し、敷設することが可能であり配線工事の簡略化、工事の際の建屋へのダメージの軽減が図ることが可能である。
【発明を実施するための最良の形態】
【０００６】  以下、本発明を実施するための最良の形態について説明する。
配線保護モールを半円形状とする。
本発明は、以上のような構造である。
【図面の簡単な説明】
【０００７】
【図１】  本発明の斜視図である。
【図２】  本発明の断面図である。
【符号の説明】
【０００８】  １  配管
２  フタ
【図１】
2011167050.tif 000003
【図２】
2011167050.tif 000004
(57)【要約】【課題】従来、ゴルフコース上および練習場で、複数のゴルフクラブを手に持って移動するとき、クラブのシャフト同士が絡み合い持ちづらく、また何本持って行ったか忘れクラブを置き忘れてしまうことがあった。【解決手段】本発明は、ホルダを用いて複数のゴルフクラブの相対的位置およびクラブシャフトの方向も保持し、固定された配置で視認性を良くした保持具で、本保持具単独で複数のゴルフクラブを運ぶことの出来るゴルフクラブ保持具を提供する。【選択図】図１
2011167438.tif 000002
【特許請求の範囲】
【請求項１】
ホルダ本体に複数の固定された保持穴を持ち、保持穴を形成するネック保持爪はゴルフクラブシャフトの方向を保持できる長さで構成された保持具で、複数のゴルフクラブを単独で保持できることを特徴とするゴルフクラブ用保持具。
【請求項２】
ホルダ本体の一端に、取手を設けた請求項１記載のゴルフクラブ用保持具。
【発明の詳細な説明】
【技術分野】
【０００１】
本発明は、複数のゴルフクラブを単独でまとめて運ぶときのゴルフクラブ用保持具に関する。
【背景技術】
【０００２】
従来、ゴルフコース上でのカートから次ぎに打つボール間の移動、または、自宅から練習場等への移動に、複数のゴルフクラブを手に持って移動するとき、クラブシャフトが長いためシャフト同士が絡み合い持ち歩きづらく、またコースでは何本持って行ったか忘れ、クラブを置き忘れてしまうことがあった。
【０００３】
また、複数のゴルフクラブを種類別に保持するゴルフクラブ保持具が知られている（特許文献１）  
【先行技術文献】
【特許文献】
【０００４】
【特許文献１】実用新案登録３１３４８１６号公報
【発明の概要】
【発明が解決しようとする課題】
【０００５】
本発明は、複数のゴルフクラブを手で持つと、クラブのシャフト同士が絡み合い持ちづらく運びづらいうえ、一目では本数の確認ができない点である。
【０００６】
また、先に記載した実用新案登録３１３４８１６号公報では、ゴルフバック内でのゴルフクラブを種類別に保持するゴルフクラブ保持具であり、ゴルフクラブを単独で持って移動するには適さない。
【課題を解決するための手段】
【０００７】
本発明はホルダを用いて、複数のゴルフクラブの相対的位置とクラブシャフトの方向を保持し、保持穴配置を固定することで本数の確認をしやすくする。
また、取手を取り付けると持ちやすくなる。
【発明の効果】
【０００８】
本発明を用いれば、複数のゴルフクラブの相対的位置および方向を保持できるので、複数のクラブをコンパクトに整理できるとともに一目で本数も確認出来るという効果があり、また運びやすくできる。
【図面の簡単な説明】
【０００９】
【図１】本発明の斜視図。
【図２】本発明の使用状態を示す要部斜視図。
【図３】本発明の正面図。
【図４】本発明の平面図。
【図５】本発明の底面図。
【図６】本発明の左側面図。
【図７】本発明の右側面図。
【図８】本発明の保持穴千鳥配置例の平面図。
【図９】本発明の保持穴３個配置例の平面図。
【図１０】本発明の取手開放形正面図。
【発明を実施するための形態】
【００１０】
本ゴルフクラブ保持具は、弾性を有する硬質の合成樹脂で製作する。
形状は、直方体ブロック状のホルダ本体1の両側面に、長手方向と直交するように保持穴2を並列に複数設ける。
【００１１】
ホルダ本体1の両側面に設けられる保持穴2の配置は図８または図９に示す通り、ホルダ本体1の中心を境界にして相対する位置、千鳥配置、または奇数配置に設ける。
【００１２】
保持穴２の形状は円形とし直径は、クラブネック部の太さに対し締まり嵌めとなるよう若干小さくしゴルフクラブを固定する。
【００１３】
また保持穴2は、ゴルフクラブ6のクラブネック部７を保持したうえ、シャフトの方向を保持するために必要な長さとしてシャフト取付方向保持長さ8を有する。
【００１４】
保持穴2はホルダの外方向に向くように切欠き溝をシャフト挿入口4として設け、シャフト挿入口4の両側は内方向に突き出したネック保持爪3を形成、シャフト挿入口4よりホルダ素材の弾性を利用してゴルフクラブ６を挿入し、クラブネック部７を挟持する。
【００１５】
ホルダ本体1の一端に環状体または一部開放の取手5を設ける。
本発明は以上の構成よりなる。
【００１６】
本発明を使用するときは、ゴルフクラブ６のクラブネック部７をシャフト挿入口4よりネック保持穴2内に押圧して挿入する。ゴルフクラブ６のクラブネック部７はネック保持爪3により挟持される。
【００１７】
これにより複数のゴルフクラブ6を、クラブシャフトが絡むことなく携帯することができ本数の確認もしやすくなる。また取手５により片手で持ちやすい。
【符号の説明】
【００１８】
１    ホルダ本体
２    保持穴
３    ネック保持爪
４    シャフト挿入口
５    取手
６    ゴルフクラブ
７    クラブネック部
８    シャフト取付方向保持長さ
【図１】
2011167438.tif 000003
【図２】
2011167438.tif 000004
【図３】
2011167438.tif 000005
【図４】
2011167438.tif 000006
【図５】
2011167438.tif 000007
【図６】
2011167438.tif 000008
【図７】
2011167438.tif 000009
【図８】
2011167438.tif 000010
【図９】
2011167438.tif 000011
【図１０】
2011167438.tif 000012
(57)【要約】【課題】本発明はパチンコ、及びパチスロにおいてパチンコ液晶部、台そのものに広告をのせることを目的とする。広告主からの広告料によりパチンコパチスロメーカーへの利益誘導および遊戯者への利益をもたらす台の提供を目的とする。【解決手段】本発明においては、パチンコ及びパチスロ台そのものを新たな広告メディアとして活用する必要が生じる。そのための広告代理業務を必要とする。【特許請求の範囲】
【請求項１】
パチンコ液晶部、台において映像、文字、音声、画像、写真、ステッカー等の広告をのせること
【請求項２】
パチスロ液晶部、台において映像、文字、音声、画像、写真、ステッカー等の広告をのせること
【発明の詳細な説明】
【技術分野】（注）見出しの横には何も記載しないで下さい。【０００１】（注）段落番号の横には何も記載しないで下さい。
広告
【発明の概要】
パチンコ及びパチスロ台の液晶部、台に広告を載せる
【発明が解決しようとする課題】パチンコ及びパチスロ台を新たな広告メディアとして活用する
【課題を解決するための手段】パチンコメーカーと広告主との間に発生する広告代理業務をおこなうこと
(57)【要約】      （修正有）【課題】洗濯機用の風呂水を使う際の吸水ホースを扱いやすく且つ、収納も便利にしたパイプガイドを提供する。【解決手段】ホース３を洗濯機本体につないだまま、パイプ本体１内に通し、なお且つ手元のホースをパイプ本体１内でスライドさせることにより、先端の吸水部４を必要な長さまで垂れさせ、浴槽に入れて、パイプごとそのまま置いておくだけにする。終了したなら、やはり手元より吸水部４をパイプ本体１に引き入れてから直立させた状態（水はこぼれない）で壁に取り付けられた受け具５にそのまま押して収納するのを特徴とする。【選択図】図３
2011167490.tif 000002
【特許請求の範囲】
【請求項１】
洗濯機用風呂水ホース（３）をパイプ（１）の内部に通し、且つ、スライドができるようにした風呂水ホースのパイプガイド。
【発明の詳細な説明】
【技術分野】
【０００１】  この発明は、浴槽より水を汲み上げる洗濯機用ホースを内部に通して一本のパイプ状にして使うスライド式パイプガイドに関するものである。
【背景技術】
【０００２】従来、洗濯機の汲み上げホースは、使用時に本体よりこれを伸ばして浴槽へセットし、終了後は巻き取っていた。
【先行技術文献】
【０００３】
【特許文献１】
【非特許文献１】
【発明の概要】
【発明が解決しようとする課題】
【０００４】  これには次のような欠点があった。
（イ）手による巻き取り式のためのやりにくさと、使用時、および収納の際に浴槽の脇まで必ず行く必要があった。
（ロ）ホース内に残った水がこぼれないように注意して収納しなければならない上、洗濯機の脇に巻き取られたホースというものはけっして美観上スッキリしたものではなかった。
本発明は、以上のような欠点をなくすためになされたものである。
【課題を解決するための手段】
【０００５】  ホース（３）を洗濯機本体につないだまま吸水部（４）を外し、パイプ（１）内を通過させ、先端部に吸水部（４）を元通り取り付けておき、パイプ内をホースがスライドできるのを確認する。
また、任意の位置の壁に収納のためのパイプ受け具を取り付けておく。
本発明は、以上の構成よりなる洗濯機用風呂水ホースのパイプガイドである。
【発明の効果】
【０００６】（イ）一本のパイプを持って操作するだけで、必ずしも浴槽の脇まで行かなくても脱衣場などからセット、片付けができる。
（ロ）終了後、先端吸水部をパイプに引き込んでから直立させれば、水は漏れない。壁に取り付けた受け具にそのまま押し入れて収納できるので、非常に簡単で見た目もよい。
【図面の簡単な説明】
【０００７】
【図１】  本発明の  姿図である。
【図２】  本発明の  構造図である。
【図３】  本発明の  実施例である。
【発明を実施するための形態】
【０００８】  以下、本発明を実施するための最良の形態について説明する。
ホース（３）を、先端に角度付きアタッチメントの付いたパイプ（１）内に通して納め、吸水部を元どおりに取り付けて、内部をホースがスライドするようにする。
又、洗濯機脇の壁などにパイプの受け具を取り付けておく。
本発明は、以上のような構造である。
これを使用するときは
パイプを壁より外し、吸水部を４０〜５０ｃｍ程度引出したら、（押し出しても良い）そのまま浴槽に垂れ入れて使用する。
収納の際は、パイプの手元よりホースを引き込んで直立させ、そのまま壁のパイプ受け具に押し入れて終了となる（水は漏れない）。
【符号の説明】
【０００９】    １  パイプ本体
２  先端部アタッチメント（角度付き）
３  ホース
４  吸水部
５  受け具
【図１】
2011167490.tif 000003
【図２】
2011167490.tif 000004
【図３】
2011167490.tif 000005
(57)【要約】【課題】  本発明は、シリコンゴムシートに無数の穴又は網目からなる通水孔を設け、それを、筒状又は袖状にし胴体の中央上部に取手又は吊り孔を設けた物である。従来、調理で煮物をする場合、具材の焦げ付きや、煮崩れを防ぐ有効な手段がなく、勘や習熟に頼るしかなかったが本発明がこの問題を解決した。【手段】  本発明の筒体又は袖体の中に具材を入れ、そのまま鍋の中へ入れて煮ればシリコンゴムが具材の鍋への焦げ付きを防ぎ、具材の反転や取り出しの際、本発明の取手又は吊り孔を摘んで行えば具材の崩れや、傷付きを防ぐ事ができる。【選択図】図１
2011167482.tif 000002
【特許請求の範囲】
【請求項１】
筒状又は袖状にしたシルコンゴムシートに、無数の穴または網目からなる通水孔を設ける。
【請求項２】
本案の胴体の略中央の上部に取手又は吊り孔をもうける。
【請求項３】
本案の形状は、請求項１の筒状又は袖状だけでなく、左右の開放部のどちらかを閉じた袋状又は上部のみを開放した籠状でも可能である。
【発明の詳細な説明】
【技術分野】
【０００１】  本発明は、調理での煮物（特に魚類）を行う際、具材の鍋への焦げ付きや、煮崩れを防ぐシリコンゴム製のネット袋に関するものである。
【背景技術】
【０００２】  従来、調理で鍋を使用し具材を煮る場合、特に魚などは鍋の底に焦げ付き易く、又煮ている間に反転させたり、煮上がり後に取り出す際、崩れたり傷つき易く、上手に煮付けるのは難しいものとされていた。
【発明の開示】
【発明が解決しようとする課題】
【０００３】  煮物料理での焦げ付きを防ぐ方法として、従来は、箸やヘラ等で具材を反転させたり鍋との接触面を剥したりする行為を絶えず行う事や、煮上がり後、取り出す際も崩れない様に注意深くしていたが、次の様な問題点があった。
具材、特に白身魚などは、ある程度煮上がってくると身が柔らかく崩れ易くなり、箸やヘラ等で摘まんだり押したりすると簡単に身が崩れたり、皮が剥がれたりする事が往往にしてあった。
本発明は、以上の問題点を解決する為になされたものである。
【課題を解決するための手段】
【０００４】  筒状又は袖状にしたシリコンゴムシートに無数の穴又は網状からなる通水孔を設ける本体胴部の中央上部に、取手又は吊り孔を設ける。
【発明の効果】
【０００５】  本発明に使用されるシリコンゴムシートは耐熱性と柔軟性が有り、又、無害、無臭無味である。よって、煮物をする際、本発明品の中に具材（特に魚類）を入れ、そのまま鍋の中に入れて煮れば、具材が鍋の底に焦げ付いたりせず、又、煮ている最中に具材を反転したり、煮あがって具材を鍋から取り出す際など、本発明品の取手又は吊り孔を摘んで行えば具材を崩したり、傷つけたりする事がない。
【発明を実施するための最良の形態】
【０００６】  以下、本発明の実施の形態を説明する。
（イ）シリコンゴムシートからなる筒体又は袖体（１）に無数の穴又は網目からなる通水孔（２）を設ける。
（ロ）筒体又は袖体の中央上部に取手又は吊り孔（３）を設ける。
本発明は以上の構成よりなる。
本発明を使用する場合には、煮物をする具材（特に魚類）を本発明品の筒体又は袖体の中に入れ、そのまま鍋の中に入れる。
本発明品には無数の穴又は網目からなる通水孔（３）が設けてある為、煮汁はその通水孔を通し、具材と鍋の間を自由に出入りする事ができ、煮る為の妨げにならない。
そして、鍋と具材の間には本発明品のシリコンゴムが介在するの為、焦げ付きは全く無くなる、又、具材を煮ている最中に反転させる場合や煮えあがった具材を鍋から取り出す際など、本発明の取手又は吊り孔を摘んで行えば具材が崩れたり傷ついたりせず綺麗にそして容易にできる。
【図面の簡単な説明】
【０００７】
【図１】  本発明の斜視図
【図２】  本発明の正面図
【図３】  本発明の側面図
【図４】  本発明の実施例図
【図５】  本発明の応用例図
【符号の説明】
【０００８】  （１）筒体又は袖体  （２）穴又は網目  （３）取手又は吊り孔
【図１】
2011167482.tif 000003
【図２】
2011167482.tif 000004
【図３】
2011167482.tif 000005
【図４】
2011167482.tif 000006
【図５】
2011167482.tif 000007
(57)【要約】【課題】  外出等の際、合鍵の保管場所に困るし、持ち歩きは邪魔になる。又置いた場所が分からなくなってしまう事も珍しくない。  その合鍵を保管兼アクセサリーとして身に着け、紛失防止とアクセサリーを兼ねた便利で綺麗な合鍵の保管兼アクセサリーを提供する。【解決手段】  外出等の際、合鍵を紛失や置忘れをしない様に首にかけ、またはランドセル・バック・ベルトなどに付けることが出来る。  また合鍵保管容器の外観を可愛い、美しいものにすれば、アクセサリーとして好んで且つ楽しんで身に付けて使用することが出来る。  必要時は即座に使用出来る便利さを特徴とする。【選択図】図３
2011167492.tif 000002
【特許請求の範囲】
【請求項１】
合鍵をフックにかけてアクセサリーとなる小容器の中に引き入れ、必要が生じた時に合鍵を引き出して使用できる合鍵保管兼アクセサリー
【請求項２】
請求項  １  に基づき、合鍵保管容器の絵柄は小鳥等の色々な動物・花等の色々な植物・文字類・山・川・海その他の絵柄および幾何学模様を施した、合鍵保管兼アクセサリー
【請求項３】
請求項  １  に基づき、紐の素材は皮・布類・金属類・合成樹脂とし、保管容器の素材は、合成樹脂・金属類・木製・樹脂粘土・布類・ビニ−ル類・革類などを使った合鍵保管兼アクセサリー
【請求項４】
請求項  １  のアクセサリーは、ペンダントのように首にかけて使用するもの、ランドセル・鞄・ベルト・バックなどにぶら下げて使用するもの、身につける部位がことなっても、内部に鍵を保管する事が出来る、合鍵の保管兼アクセサリー
【請求項５】
請求項  １  で使われるフックは、フックの上部に二つの穴を設け、上の穴は首にかける紐またはランドセル・ベルト・バックなどに取り付ける紐を通す穴とし、下の穴はフックガイドを通す穴で、パイプの幅は小容器が落下するのを防ぐ為に長くした合鍵保管兼アクセサリー用フック
【発明の詳細な説明】
【技術分野】
【０００１】  この発明は、外出等をする際玄関や自動車の鍵をもって行くが、鍵の紛失に備えて持参する合鍵を、アクセサリーとして身につける合鍵の保管兼アクセサリーに関する物である。
【背景技術】
【０００２】  従来、キーホルダーとアクセサリーは別々のものだった。
【発明の開示】
【発明が解決しようとする課題】
【０００３】  従来鍵を持ち忘れて外出し、家に入る事が出来なかった。鍵をつけたまま車から降り鍵屋を呼んで開けてもらったという例は多々ある。そのために合鍵を持つが、合鍵はバックまたはポケットに入れて持ち歩くことが多く、その合鍵もバックに入れたまま車内に置き忘れて、ロックをしてしまうことも多かった。従来のキーホルダーは数個の鍵をまとめて持参する役目はあったが、持ち忘れ・紛失を防ぐ方法は考えられていなかった。
本発明は、以上のような欠点をなくすためになされたものである。
【課題を解決する手段】
【０００４】  課題を解決するために本発明は以下の構成とした。
合鍵をアクセサリーの内部に入れ鍵が外から見えない様にして紐で身につける。すなわち，合鍵保管とアクセサリーを兼ねたものであれば、アクセサリーとして身につけるだけで保管兼アクセサリーとして抵抗なく利用出来る。
【発明の効果】
【０００５】  本発明は、下記の効果を有する。
１．合鍵をどこに保管したか分かり易い。
２．アクセサリーとして身につけているので紛失・置き忘れし辛い。
３．アクセサリーであるので、ポケットやハンドバック等に保管するより好んで使用できる。
【発明を実施するための最良の形態】
【０００６】  以下，本発明の実施形態について説明する。
本発明の名称合鍵の保管兼アクセサリーが、最も一般的に使用されると思われるペンダントについて説明する。ペンダントの内部に合鍵を入れ、図１の様に首にかける。この時合鍵は図２の断面図の様に、フックにかけてペンダントの中に収納されている。
首にかける紐を調節すればランドセル・鞄・ベルトなどにぶら下げて使用することも出来る。
図１図２の様に合鍵を内包できるアクセサリーは、色々な形と色々な色彩・色々な絵柄・色々な素材にして自分の好みに合った物を使用する事が出来る。
小容器はアクセサリーとして、きれいな花等色々な植物・可愛い小鳥等の色々な動物・文字類・海や山・川等の自然・その他の絵柄は人に好まれる物ほど好んで首にかけるのは自然な現象である。
紐も色々な素材と色彩にして楽しむ事ができる。
色・素材も絵柄同様に人に好まれる物ほど人に愛され、首にかける人が多くなるのは当然であり、合鍵の保管兼アクセサリーは合鍵の紛失防止が出来便利であり、アクセサリーとして楽しみながら使用出来る。
また合鍵を保管するためにフックを設けるが、このフックは図４のようにフックの上部に二つの穴を開け、上の穴は首にかける紐を通し、下の穴はフックガイドを通すためのものである。下の穴のパイプは、アクセサリー本体が落下しないように幅を広くした。
合鍵がアクセサリーと平行に収納されるように、フックの形は後ろから前へせり出す形にした。こうすればフックや鍵でアクセサリー本体を傷つけることはない。
合鍵をアクセサリー本体の中に引き込むので、鍵を引き出し辛い。それを容易にするためにフックガイドを設けた。またフックガイドつまみはフックガイドの先に取り付け、フックガイドがアクセサリー本体の中に入り込まないように設けた。
合鍵保管兼アクセサリーのフックは、▲１▼鍵をかけるフック  ▲２▼フックガイド  ▲３▼身につけるための紐  を一体化させたものである。【０００７】  次に合鍵保管兼アクセサリーの使用方法について説明する。
図３はフックガイドつまみを引いて、フックガイド及びフックを引き出し、合鍵をフックに取り付けた状態である。
取り付けた後は、２の紐を引いて図１の様に首にかける。
【図面の簡単な説明】
【０００８】
【図１】本発明の使用状態、合鍵を収納しアクセサリーとした正面図である。
【図２】本発明の使用状態、合鍵を収納した断面図である。
【図３】フックを引き出して合鍵をかけた状態の斜視図
【図４】フックの斜視図
【符号の説明】
【０００９】  １．本体
２．紐
３．フック
４．フックガイド
５．鍵
６．フックガイドつまみ
７．フック上部の穴で、紐を通す
８．フック下部の穴で、フックガイドを通す
【図１】
2011167492.tif 000003
【図２】
2011167492.tif 000004
【図３】
2011167492.tif 000005
【図４】
2011167492.tif 000006
(57)【要約】      （修正有）【課題】乳幼児を座らせた姿勢で前向きのまま移動できるため、乳幼児の視界が良好で、視線も高い位置にあるため、買い物や動物園・水族館などでの周囲の風景を十分に楽しむことができる。また、脳の発達も促進され、乳幼児の姿勢は椅子に座っているような楽な姿勢であるため、股間を圧迫することもなく長時間使用できる。【解決手段】乳幼児が座るための座面１を設け、座面１の前側の中央部の上方に乳幼児が前に倒れないように支えるための支持具７を設け、支持具７の中央部と座面１の前側の中央部をベルトでつなぐ。支持具７の右端は、座面１の後ろ側の右端とベルトでつなぎ、支持具７の左端は、座面１の後ろ側の左端とベルトでつなぐ。使用時はこの二本のベルトを大人の両肩にかけ、乳幼児が座った座面１を大人の腹部前側に位置させる。【選択図】図１
2011167491.tif 000002
【特許請求の範囲】
【請求項１】
平面の座面を設け、座面の前側の上方に支持具を設け、支持具の中央と座面の前側を股ベルトで接続して設け、支持具の右端と座面の後ろ側の右端を右肩ベルトで接続して設け、支持具の左端と座面の後ろ側の左端を左肩ベルトで接続された乳幼児移動用具。
【発明の詳細な説明】
【技術分野】
【０００１】  本発明は、乳幼児が座った姿勢で移動できる乳幼児移動用具に関する
【背景技術】
【０００２】  従来、乳幼児を移動する方法は、抱っこやおんぶ、ベビーカーなどの乗り物を使用する方法があった。なお、先行技術として乳幼児を股で吊るして移動する用具が知られている（特許文献１参照）
【先行技術文献】
【０００３】
【特許文献１】  特開２００１−７０１０７号公報（図７）
【発明の概要】
【発明が解決しようとする課題】
【０００４】  従来の乳幼児移動方法は、抱っこ紐やおんぶ紐を使って抱っこやおんぶをする方法とベビーカーなどの乗り物を使用する方法があった。しかし、抱っこの場合は乳幼児の視線が後ろ向きであり、おんぶの場合は乳幼児の視界がおんぶをしている人の背中で妨げられ、ベビーカーに乗っている場合は視線が低いなど、乳幼児にとって周囲の風景を十分に楽しめる移動方法ではなかった。また、先行技術文献は、乳幼児を股で吊るす構造であるため、乳幼児の股間を圧迫し、長時間使用するには乳幼児の体への負担が大きい。本発明は、以上の問題点を解決するためになされたものである。
【課題を解決するための手段】
【０００５】  乳幼児が座るための座面を設け、座面の前側の中央部の上方に乳幼児が前に倒れないように支えるための支持具を設け、支持具の中央部と座面の前側の中央部をベルトでつなぐ。支持具の右端は、座面の後ろ側の右端とベルトでつなぎ、支持具の左端は、座面の後ろ側の左端とベルトでつなぐ。使用時はこの二本のベルトを大人の両肩にかけ、乳幼児が座った座面を大人の腹部前側に位置させる。
【発明の効果】
【０００６】  本発明は、乳幼児を座らせた姿勢で前向きのまま移動できるため、乳幼児の視界が良好で、視線も高い位置にあるため、買い物や動物園・水族館などでの周囲の風景を十分に楽しむことができるようになる。視線が高く、視界が広がることで乳幼児の脳の発達も促進されることが脳科学で証明されていて、本発明を使用することにより脳の発達も促進されることが考えられる。また、乳幼児の姿勢は椅子に座っているような楽な姿勢であるため、股間を圧迫することもなく長時間使用することができる。
【図面の簡単な説明】
【０００７】
【図１】  本発明の斜視図
【図２】  本発明を使用したときの状態図
【発明を実施するための形態】
【０００８】  以下、本発明の実施の形態を説明する。
（イ）外形が凸形状で平面の座面（１）の前側に位置する凸部に、横長形状の座面股ベルト用通し穴（２）を設ける。
（ロ）座面股ベルト用通し穴（２）は、乳幼児の体型に合わせて股ベルト取り付け位置を調整できるように座面の前後方向に複数並べて設ける。
（ハ）座面（１）の後側の右端に、横長形状の座面右肩ベルト用通し穴（３）を設け、右肩ベルト（４）を通し、固定する。
（ニ）座面（１）の後側の左端に、横長形状の座面左肩ベルト用通し穴（５）を設け、左肩ベルト（６）を通し、固定する。
（ホ）座面（１）の前側の上方に横長形状の支持具（７）を設け、支持具（７）の中央に横長形状の支持具股ベルト通し穴（８）を設ける。
（ヘ）股ベルト（９）を支持具股ベルト用通し穴（８）に固定し、股ベルト（９）の反対側を座面股ベルト用通し穴（２）に通し、股ベルト用アジャスター（１０）で使いやすい位置に固定する。
（ト）支持具（７）の右端に位置する支持具右肩ベルト用通し穴（１１）に、肩パッド（１５）を有した右肩ベルト（４）を通し、右肩ベルト用アジャスター（１２）で使いやすい位置に固定する。
（チ）支持具（７）の左端に位置する支持具左肩ベルト用通し穴（１３）に、肩パッド（１５）を有した左肩ベルト（６）を通し、左肩ベルト用（１４）で固定する。
【０００９】  本発明を使用するときは、大人は椅子などに腰掛け、大人の腿の上に乳幼児が座りやすいよう座面（１）を水平に置く。乳幼児を座面（１）の上に、股ベルト（９）をまたぐように座らせ、支持具（５）を乳幼児の前に位置させる。大人は右肩ベルト（４）を右肩に、左肩ベルト（６）を左肩にかけ立ち上がり、乳幼児を大人の腹部の前側に座らせた状態で移動することができる。乳幼児と右肩ベルト（４）及び左肩ベルト（６）の間隔がきつい場合やゆるい場合は、複数の座面股ベルト用通し穴（２）から適切な座面股ベルト用通し穴（２）を選択し、股ベルト（１０）を通し、調整して使用する。
【符号の説明】
【００１０】（１）座面、（２）座面股ベルト用通し穴、（３）座面右肩ベルト用通し穴、（４）右肩ベルト、（５）座面左肩ベルト用通し穴、（６）左肩ベルト、（７）支持具、（８）支持具股ベルト用通し穴、（９）股ベルト、（１０）股ベルト用アジャスター、（１１）支持具右肩ベルト用通し穴、（１２）右肩ベルト用アジャスター、（１３）支持具左肩ベルト用通し穴、（１４）左肩ベルト用アジャスター、（１５）肩パッド
【図１】
2011167491.tif 000003
【図２】
2011167491.tif 000004
(57)【要約】      （修正有）【課題】ストーマ装具の交換をスムーズに行う袋を提供する。【解決手段】袋に粘着剤・糊１を設け、液体の漏れない特殊熱溶着加工２を設け、装着しているストーマ装具をこの袋に入れて地肌に袋を粘着剤・糊１にて装着する。ストーマ装具の交換時には、ストーマ装具を取り外し袋に入れてから、地肌より取り外して、この袋を折り返しをしてこの袋の粘着剤・糊１を利用し袋を閉じることにより、スムーズにストーマ装具の交換ができる。【選択図】図２
2011167495.tif 000002
【特許請求の範囲】
【請求項１】
袋に粘着剤・糊（１）を設け、袋下部に液体漏れをしない特殊熱溶着加工（２）を設け、ストーマ装具使用者が装着しているストーマ装具を、覆うようにして、この袋の中に入れ粘着剤・糊にて地肌などに装着し、ストーマ装具を取り外して、この袋の中にいれ、地肌などより取り外して、この袋を折り返してこの袋の粘着剤・糊を使用し、この袋を閉じることで、簡単にストーマの交換が出来ることを特徴とする袋である。
【発明の詳細な説明】
【技術分野】
【０００１】    本発明は、ストーマ使用者がストーマ装具（ストーマ用パウチ又は人工肛門用パウチ・畜便袋）の交換時に、本発明の袋にストーマ装具を入れて本発明の袋に設けた粘着剤・糊にて地肌などに装着し、交換作業をスムーズにするための袋である。
※  ストーマ（オストメイト）        ＝  人工肛門部分
※  ストーマ装具（ストーマ用パウチ）＝  人工肛門に装着する蓄便袋
【背景技術】
【０００２】従来は、ストーマ装具の交換用袋はなかった。
【発明の概要】
【発明が解決しようとする課題】
【０００３】従来は、以下のような欠点があった。
通常の袋を使ってストーマ装具の交換を行うためには、ストーマ装具をストーマから取り外して何処かに置き、袋を取り出してその袋に入れて、ストーマ装具を装着していた。そのため、スムーズな交換作業ができなかった。
【課題を解決するための手段】
【０００４】袋に粘着剤・糊（１）を設け、袋下部に液体漏れをしない特殊熱溶着加工（２）を設ける。
本発明は、以上の構成よりなる粘着剤・糊つきストーマ装具交換用袋である。
【発明の効果】
【０００５】装着しているストーマ装具をこの袋に入れて、粘着剤・糊にて地肌に装着し、ストーマ装具を取り外し袋に入れてから、地肌より取り外して、この袋を折り返しをしてこの袋の粘着剤・糊を利用し、この袋を閉じることで簡単にストーマ装具の交換ができる。
【図面の簡単な説明】
【０００６】
【図１】本発明の袋の平面図である。
【図２】本発明の袋を広げた図である。
【発明を実施するための形態】
【０００７】以下、本発明を実施するための最良の形態について説明する。
袋に粘着剤・糊（１）を設ける。
袋下部に特殊熱溶着加工（２）して液体漏れをしない袋として機能するようにする。
装着しているストーマ装具をこの袋に入れて、粘着剤・糊にて地肌に装着し、ストーマ装具を取り外し袋に入れてから、地肌より取り外して、この袋を折り返しをしてこの袋の粘着剤・糊を利用し袋を閉じる。
【符号の説明】
【０００８】１  粘着剤・糊
２  特殊溶着加工
【図１】
2011167495.tif 000003
【図２】
2011167495.tif 000004
(57)【要約】【目的】  病気や身体の疾患等で、ベッドの上での生活を余儀なくされている人達の限られたスペースの範囲で、ノート型パソコンやテレビ等を自分の望む位置や角度で使用できるようにするため、伸縮が容易であり角度を選べかつ仰ぎ角も選択できるノート型パソコン台を提供することを目的とする。【構成】  台座部背面板と固定側取付板を２対の井桁状ステーに接続し台座部の位置を前後に動かすことが出来ると同時に、２列の井桁状ステーの長さを変えることにより台座部分の向きを変えることが出来る、また台座平板と台座部背面板を台座部固定鎖の長さを変えることにより台座平板が直角から任意の仰ぎ角度に変えることが出来るノート型パソコン台であり、ベッドの横桟にクランプを差し込み固定することにより、ベッドの上でパソコンの入力や検索等の作業が出来る。【選択図】図２
2011167479.tif 000002
【特許請求の範囲】
【請求項１】
固定側取付板と可動側背面の上部には固定用丸穴、下部にはスライド用長穴を設けた蝶番を上下に２対を設け、ここに６枚以上のステー板を井桁状に組みカシメを施した２対の井桁状ステーをカシメにて接続して、固定板と可動側背面板の伸縮を自在にすると同時に、蝶番の作用により２対の井桁状ステーの伸縮を変えることが出来る。これにより可動側の背面板の角度が変わり台座の向きを変えることが出来るノート型パソコン台。
【請求項２】
請求項１に基づいたノート型パソコン台の固定側取付板に主軸を取り付け、これにパイプを設置したクランプと接続することにより、ベッドや机のコーナーや横桟に取り付け、向きや高さを選ぶことが出来るノート型パソコン台。
【請求項３】
台座背面板と台座は蝶番で連結されているが、台座背面板の左右両端には台座角度固定用鎖が結ばれており、この鎖の長さを選び台座平板左右にある鎖固定金具に取り付けることにより台座背面板と台座平板に角度が生ずることにより、仰ぎ角度を決めることが出来るノート型パソコン台。
【発明の詳細な説明】
【技術分野】
【０００１】  本発明は主としてノート型パソコン台をベッドやテーブル等に設置でき、しかも３次元に移動させることが可能なノート型パソコン台に関する。【０００２】  例えば病気や身体の疾患等によりベッド上の生活を余儀なくされている人達が、自分の見やすい位置や使いやすい姿勢で入力や検索等のパソコンの操作が出来ることが大切である。【０００３】  本発明は古くからある機構を使用していることを特徴とし、余地の少ないテーブルやベッドの横桟などに簡単に取り付けられる。この台は前後に伸縮するだけでなく、左右の角度を変えることが出来、また高さや仰ぎ角を変えることが出来るノート型パソコン台を作成することにある。【０００４】  上記目的を達成するために本発明のノート型パソコン台は、背板部と平板部を２枚の蝶番により連結し、背板部の両端に取り付けられた鎖状の紐で希望する角度に合わせて長さを決めて、平板部の両端に固定することにより自由に仰ぎ角を変えることが出来ることを特徴とする。【０００５】  また本発明のノート型パソコン台は使用時に必要な位置に簡単に移動させるために、ベッド取付部と台座部背板の間に鉄製平板を井桁状に複数個連結したパンタグラフ構造を二列で繋ぎ、前後に伸縮させることが出来る。因って台座に設置したノート型パソコンの位置を前後に自由に設置できることを特徴とする。【０００６】  さらに井桁状パンタグラフ構造体が二列であるため、左右の井桁状パンタグラフ構造体の長さに差をつけることにより背面板の向きが変わる。因って台座に設置されたノート型パソコン台の向きも変えることが出来ることを特徴とする。【０００７】  ベッドの横桟等に固定するためにクランプが設けてあり、そのクランプの上面にパイプを固定してある。そのパイプにベッド固定板に設置されている丸棒を差し込み、高さを決めパイプに設置されているネジを固定することにより、設置する高さと方向を調整できることを特徴とする。
【発明の効果】
【０００８】  本発明のノート型パソコン台に依りベッド等で生活をしている人達が自分の身体の具合に合わせて希望する位置や角度で入力や検索等の操作・作業が出来るようになった。
【０００９】また構造的に丈夫であり保守管理がたやすく故障が少ない。
【００１０】また伸縮部が井桁状パンタグラフ構造であるため使用しない時は縮めておけるので場所を取らない。
【発明を実施するための最良の形態】
【００１１】  以下本発明の実施の形態を図面に基づき説明する。図１は本考案の上面図であり、図２は側面図である。図３は台座部仰ぎ角度調整時の図であり、図４は設定角度変更時の上面図である。【００１２】  本体台座背面板１は台座平板２と蝶番３で連結されており仰ぎ角度が変えられる。【００１３】  台座背面板１の左右に設置してある台座角度固定鎖４を、台座平板２の左右に設置されている角度固定金具５に連結することにより、設定した角度を固定できる。【００１４】  台座背面板１の裏面の左右上部の直角方向に井桁固定用蝶番６が各１個設置されている。また同じく左右下部の直角方向に各１個の井桁固定用蝶番７が設置されている。この蝶番は片面に長穴が設けられている。【００１５】  ６枚以上の幅２０ミリ長さ２００ミリ厚さ２ミリのスチール製ステー９をカシメ金具８にて井桁状に組み合わせたものを井桁固定用蝶番６と井桁可動用蝶板７にカシメ金具８を使用しカシメ接続させる。【００１６】  同じ工程にて井桁状のステーを作りそれぞれの蝶番に接続する。【００１７】  井桁状ステー１０は固定側取付板１１に設置してある固定用蝶番６と可動用蝶番７に稼働側背面板１と同じように接続されている。【００１８】  固定側取付板１１の背面に高さ調節用主軸１２が固定金具１３により固定されている。【００１９】  取り付け用クランプ１４の上部に主軸差し込み用パイプ１５が接合されている。このパイプの中に高さ調節用主軸１２を差し込む。【００２０】  取り付け用クランプ１４の下部にあるハンドル１８を回転させ、押さえ用上下ネジを押し下げベッドの横桟等に強く固定する。【００２１】  使用する位置に合わせて、その方向と高さをきめたら主軸固定用ビス１６を締め付けて固定する。【００２２】  実施例では台座部背面板、固定側取付板は木材を使用して作成したが、スチール板、アルミ板等を板金加工して作成するなど、材質の選択は幅広くあるので価格や重量を加味して使用することが出来る。
【図面の簡単な説明】
【００２３】
【図１】  本発明の上面図
【図２】  本発明の側面図
【図３】  仰ぎ角度調整部分図
【図４】  角度変更時上面図
【符号の説明】
【００２４】  １，台座背面板          ２，台座平板          ３，蝶番
４，台座角度固定鎖      ５，角度固定鎖        ６，井桁固定用蝶番
７，井桁可動用蝶番      ８，カシメ金具        ９，ステー
１０，井桁状ステー      １１，固定側取付板    １２，高さ調整用主軸
１３、固定金具          １４、取付用クランプ  １５，主軸差込用パイプ
１６，主軸固定用ビス    １７，押え用上下ネジ  １８、ハンドル
【図１】
2011167479.tif 000003
【図２】
2011167479.tif 000004
【図３】
2011167479.tif 000005
【図４】
2011167479.tif 000006
(57)【要約】【課題】従来土付き花や植物を室内に飾るには、瀬戸物の鉢に水受けの皿を置いていたが、水やりの度に土が下からしみ出してきて、見た目もきれいでなく室内を汚す事もあった。又壁に飾るには手入れや安全面で難しかった【解決手段】木又は吸水性に優れた素材に上部より穴を開け、そこに土付きの花や観葉植物を植えられるようにする。穴の底は平らではなく山形を幾つも作っておく（表面積を多くして水分の吸水性、保水性を良くするのと同時に植物の根を絡みやすくする）。また、外壁には浸透性の塗装を施す。上部廻りは防腐加工をする。さらに側面には壁掛けフックを付ける。花器自体が水分を吸収するので水受けの皿は不要である。土が下から流れ出す心配もなく花器がいつまでもきれいで、清潔である。床に直に置いても棚に飾っても室内を汚さない。またフックで簡単に壁に掛けることができる。【特許請求の範囲】
木又は吸水性の高い素材による、土付きの花・植物が床や棚、壁に簡単に飾れる花器
【発明の詳細な説明】
【技術分野】
【０００１】この発明は、土付きの花、観葉植物でも清潔に簡単に床や棚、壁に飾ることができる花器である
【背景技術】
【０００２】従来は、このようにものはなかった。
【発明の開示】
【発明が解決しようとする課題】
【０００３】従来土の付いた花や植物を室内に飾るには、瀬戸物の鉢に水受けの皿を置いていたが、水やりの度に土が下からしみ出してきて、見た目もきれいでなく室内を汚す事もあった。又壁に飾るには手入れや安全面で難しかった
【課題を解決するための手段】
【０００４】木又は吸水性に優れた素材に上部より穴を開け、そこに土付きの花や観葉植物を植えられるようにする。穴の底は平らではなく山形を幾つも作っておく（表面積を多くして水分の吸水性、保水性を良くするのと同時に植物の根を絡みやすくする）。
又、外壁には浸透性の塗装を施す。上部廻りは防腐加工をする。さらに側面には壁掛けフックを付ける。
【発明の効果】
【０００５】花器自体が水分を吸収するので水受けの皿は不要である。土が下から流れ出す心配もなく花器がいつまでもきれいで、清潔である。床に直に置いても棚に飾っても室内を汚さない。またフックで簡単に壁に掛けることができる。
【発明の実施をするための最良の形態】
【０００６】以下、本発明の実施の形態について説明する。
【０００７】木又は吸水性に優れた素材に上部より穴を開ける。
【０００８】穴の底は平らではなく山形を幾つも作っておく（表面積を多くして水分の吸水性、保水性を良くするのと同時に植物の根を絡みやすくする）。
【０００９】外壁には浸透性の塗装を施す。上部廻りは防腐加工をする。
【０００１０】側面には壁掛けフックを付ける。